(57)【特許請求の範囲】
【請求項１】
庫内背面部に設けられた冷気供給ダクトと、該ダクトに開設された冷気排出口を介して導入された冷気により熱交換されて冷却される金属トレー板と同じく前記冷気排出口を介して導入された冷気を冷蔵室内に供給するための吹出口が開設されたトレー底板とから成る食品等の載置用のトレーとを備え、この食品等の載置用のトレーをその間に収納空間を形成するように複数段配設したことを特徴とする冷蔵庫。
【請求項２】
庫内背面部に設けられた冷気供給ダクトと、該ダクトに開設された冷気排出口を介して導入された冷気を冷蔵室内に供給するための吹出口が開設された食品等の載置用のトレーとを備え、該トレーを、外周部下面には嵌合部が形成され前記ダクトに開設された冷気排出口を介して導入された冷気により熱交換されて冷却される金属トレー板と、該金属トレー板の嵌合部と嵌合し合う嵌合部が上面に形成され下面には嵌合凹部が形成されると共に後側面には前記冷気排出口と連通する開口が形成されたトレー枠と、上面が開口した箱状を呈し前記トレー枠の嵌合凹部に嵌入する立上がり壁を有し前記トレー枠の開口と連通する開口が後側面に開設されると共に底面部には吹出口が開設されたトレー底板とから構成し、この食品等の載置用のトレーをその間に収納空間を形成するように複数段配設したことを特徴とする冷蔵庫。
【発明の詳細な説明】
【０００１】
【発明の属する技術分野】
本発明は、冷蔵庫に関するものである。
【０００２】
【従来の技術】
冷却器で冷却された冷気を冷気循環用ファンにより庫内背面板に設けた冷気導入口から冷蔵室内に導入し、トレー上の食品等を冷却する技術が特開平５−３０６８７０号公報や特開平１０−３８４５６号公報に開示されている。
【０００３】
【発明が解決しようとする課題】
しかし、前述の従来例では前記冷気導入口の近くのトレー上に、大きな食品等が置かれ
ると、前面扉の近くに置かれた食品等は冷却されにくいという欠点がある。
【０００４】
そこで本発明は、トレー上に置かれた食品等を均一に冷却できるようにすることを目的とする。
【０００５】
【課題を解決するための手段】
このため本発明は、庫内背面部に設けられた冷気供給ダクトと、該ダクトに開設された冷気排出口を介して導入された冷気により熱交換されて冷却される金属トレー板と同じく前記冷気排出口を介して導入された冷気を冷蔵室内に供給するための吹出口が開設されたトレー底板とから成る食品等の載置用のトレーとを備え、この食品等の載置用のトレーをその間に収納空間を形成するように複数段配設したものである。
【０００６】
また本発明は、食品等の載置用のトレーを、外周部下面には嵌合部が形成され冷気供給ダクトに開設された冷気排出口を介して導入された冷気により熱交換されて冷却される金属トレー板と、該金属トレー板の嵌合部と嵌合し合う嵌合部が上面に形成され下面には嵌合凹部が形成されると共に後側面には前記冷気排出口と連通する開口が形成されたトレー枠と、上面が開口した箱状を呈し前記トレー枠の嵌合凹部に嵌入する立上がり壁を有し前記トレー枠の開口と連通する開口が後側面に開設されると共に底面部には吹出口が開設されたトレー底板とから構成し、この食品等の載置用のトレーをその間に収納空間を形成するように複数段配設したものである。
【０００７】
【０００８】
【発明の実施の形態】
以下本発明の実施の形態を図面に基づき説明する。
【０００９】
図１に示す１は図示しない前面扉が設けられた冷蔵庫本体で、外箱２と内箱３及び両箱間に充填された断熱材４により構成されている。冷蔵室の背面にはダクトカバー６と内壁３とで冷気供給ダクト５が形成され、このダクトカバー６には冷蔵室の内部に向かって複数の冷気排出口７が形成されている。該冷気排出口７の開口端部は冷蔵室内部に向けて突出したフランジ８が形成されている。
【００１０】
１０は冷蔵室の両側面に形成されたレールで、該レール１０上に後述のトレー１１が載置される。図２、図３に示すように、トレー１１は、食品等を直接載置する金属トレー板１２と、トレー枠１３と、複数の吹出口１５を有するトレー底板１４とから成る。
【００１１】
前記金属トレー板１２は熱伝導性の良好な、例えばアルミニウムで作製され、外周部の下面にはコ字状の嵌合部Ａ１６が形成されている。前記トレー枠１３は、前記金属トレー板１２の嵌合部Ａ１６と嵌合し合う嵌合部Ｂ１７が内周部上面に形成されると共に、後側面には前記冷気排出口７のフランジ８が嵌る開口１８が形成される。トレー底板１４は概ね上面が開口した箱状を呈しており、前記開口１８と連通する開口１９がその後側面に開設されると共に、前述したように底面部には複数条の長孔形状の吹出口１５が開設されている。そして、前記トレー枠１３の前枠及び両側枠にはその下面に前記トレー底板１４の立上がり壁２０が嵌入する嵌合凹部２１が形成されている。
【００１２】
従って、先ず前記トレー底板１４とトレー枠１３とを一体化する。即ち、トレー底板１４の立上がり壁２０をトレー枠１３の嵌合凹部２１に嵌入させ、両者を一体化する。次に、金属トレー板１２の嵌合部Ａ１６とトレー枠１３の嵌合部Ｂ１７とを嵌合させ、結果として金属トレー板１２と、トレー枠１３と、トレー底板１４との三者が一体となる。このように組立てられたトレー１１を、図５に示すように、トレー枠１３両側部に設けた挟持片２２とトレー枠１３の両側枠片とでレール１０を挟むようにして滑らせ、フランジ８に
前記開口１８、１９を嵌るようにして前記レール１０上に載置する。しかも、前記トレー１１をその間に収納空間を形成するように所定間隔を存して複数段配設する。
【００１３】
以上のようにしたために、図６に示すように、冷凍サイクルを構成する蒸発器（図示せず）から発生した冷気は冷気循環用ファン（図示せず）によって、冷蔵室内部に供給される。即ち、冷気供給ダクト５に沿って冷気は案内されて上昇し、複数の冷気排出口７を介してトレー１１内に導かれ、その金属トレー板１２の底面部を冷却して、熱伝導率が良好な金属トレー板１２上に載置される食品等をその下部から冷却する。
【００１４】
また、トレー１１内に導入された冷気は、複数条の吹出口１５からトレー１１外へ吹出されて冷蔵室内を下降し、より下方のトレー１１上の食品等をその上部から冷却することとなる。このため、前記冷気排出口７の近くに背の高い、大きな食品等が置かれても、トレー１１上の食品等を均一に冷却することができる。
【００１５】
【発明の効果】
以上説明したように本発明は、冷気供給ダクトの冷気排出口の近くに背の高い、大きな食品等が置かれても、トレー上の食品等を均一に冷却することができる。また、トレーを金属トレー板、トレー枠及びトレー底板とから構成して、これらを一体化したり分解できるから、メンテナンスが容易で使い勝手が良い。更に、前記トレーをその間に収納空間を形成するように複数段配設したから、該トレー間の収納空間の上部には上方のトレーから冷気が均等に降り注ぐことができ、また食品等の貯蔵物が障害になり冷気が回り難い収納空間の下部は下方の金属トレー板により均等に冷却でき、この収納空間は貯蔵物がどのように置かれても比較的均一に冷却することができる。
【図面の簡単な説明】
【図１】図１はトレー１１の取付動作を示すための、冷蔵庫の一部破断した斜視図である。
【図２】図２はトレー１１の分解した状態と一体化した状態を示す斜視図である。
【図３】図３は一部破断したトレー１１の分解した状態と一体化した状態を示す斜視図である。
【図４】図４はトレー１１取付後の冷蔵庫の一部破断した斜視図である。
【図５】図５はトレー１１取付後の状態を説明するための図で、トレー１１の斜視図、図４の円Ａの拡大図、冷蔵庫の一部破断した斜視図である。
【図６】図６は作用を説明するための冷蔵庫の一部縦断右側面図である。
【符号の説明】
５          冷気供給ダクト
１０        レール
１１        トレー
１２        金属トレー板
１３        トレー枠
１４        トレー底板
１５        吹出口
１６        嵌合部Ａ
１７        嵌合部Ｂ
１８        開口
１９        開口
２０        立上がり壁
２１        嵌合凹部
【図１】
0003749077.tif 000002
【図２】
0003749077.tif 000003
【図３】
0003749077.tif 000004
【図４】
0003749077.tif 000005
【図５】
0003749077.tif 000006
【図６】
0003749077.tif 000007